(57)【要約】【課題】１節の梯柱素子を接続器で締付けて連結し、水平な踏板を取り付けたのを１単位として、多数の単位を継ぎ合わせた使用、携帯、収納共に便利な繰出し、折畳み自在の構造を持つ繰出し梯子の開発。【解決手段】複数の梯柱素子と、複数の接続器と、複数の締付器具と、複数の水平な踏板とからなり、梯柱素子は各各管径の異なる中空の梯管であり、これを互いに直列に継ないで引き出したり、挿しこんだりでき、各中空梯管の上段部には、接続器を水平に取り付け、その内部に前記締付器具を包覆し、その外部を水平な踏板で覆蓋した、改善された構造の繰出し梯子を提供する。【選択図】図３
0003141332.tif 000002
【実用新案登録請求の範囲】
【請求項１】
折畳み自在な梯子であって、複数の梯柱素子と、複数の接続器と、複数の締付器具と、複数の水平な踏板とからなり、前記梯柱素子は各各管径の異なる中空の梯管であり、これを互いに直列に継ないで引き出したり、挿しこんだりでき、各中空梯管の上段部には、前記接続器を水平に取り付け、その内部に前記締付器具を包覆し、その外部を前記水平な踏板で覆蓋した、改善された構造の繰出し梯子。
【請求項２】
前記梯柱素子と前記接続器とは、前記接続器のテノンが前記梯柱素子のほぞ穴に嵌合した後、さらに液状バインダーを前記接続器の内部に形成された粘液流道に注入して、両者をしっかり粘着固定する、請求項１に記載の繰出し梯子。
【請求項３】
前記梯柱素子が前記接続器に結合した位置には位置決め穴が開設されていて、前記接続器に開設された貫通孔と相通じ、前記接続器内部の締付器具の心棒を挿し通して前後に移動できる、請求項１に記載の繰出し梯子。
【請求項４】
前記接続器はその環状締具で前記梯柱素子と結合し、その連結アームで前記締付器具と結合している、請求項３に記載の繰出し梯子。
【請求項５】
前記締付器具はその錠門の中央部にあるスリーブが、前記接続器の連結アームの通路上にくるように、前記連結アームに挿し込み、前記スリーブ内にはばねと心棒が設けてあり、前記心棒は前記連結アームの貫通孔を通って、前記梯柱素子の位置決め孔に至る、請求項４に記載の繰出し梯子。
【請求項６】
前記締付器具はその双股状の触動鍵で、前記心棒を前後に移動させる、請求項５に記載の繰出し梯子。
【請求項７】
前記梯柱素子の下段には通過が開設されていて、使用に当り、外層の梯柱素子を引き出すとき、前記締付金具を挿し込み固定する、請求項１に記載の繰出し梯子。
【請求項８】
前記梯柱素子の通孔上の適当な位置には、前記梯柱素子の外径よりやや大きい箝圏が環設されていて、使用に当り、外層の梯柱素子を引き出すとき、前記箝圏は前記外層の梯柱素子の接続器に形成された内フランジと抵接し、前記梯柱素子下段の通孔、前記外層の梯柱素子の位置決め孔、前記接続器の貫通孔、及び前記締付器具の心棒との相対位置を正確に保持する、請求項７に記載の繰出し梯子。
【請求項９】
前記梯柱素子の下部には、やや円筒状のバッファーが設けられその底部の外周縁には止め座金が取り付けられていて、前記梯柱素子との間に適当な接触摩擦力を保ち、操作時の騒音を減少して緩衝作用の功能を上げる、請求項１に記載の繰出し梯子。
【請求項１０】
前記バッファーの内部には、表面に穴を開けた膠膜が設けられていて、前記バッファーが上下に移動するとき、空気を前記膠膜内に形成された空間に収容し、緩衝作用の効能を向上する、請求項９に記載の繰出し梯子。
【考案の詳細な説明】
【技術分野】
【０００１】
本考案は堅固、確実、安全、組立も容易である?改善された構造の繰出し梯子に関する。
【背景技術】
【０００２】
梯子は建築工事における足場同様、高所作業に不可欠な設備である。 
【０００３】
図１に示す通常の梯子８００は２本の梯柱を組み合せたもので、梯子の下端には足当をはかせて滑りを防ぎ、両柱の間には適当な間隔を置き、水平な踏板を取り付けて使用に供する。その外観はＡ字形をなしている。
【０００４】
このような従来使用されてきた梯子は全体として大き過ぎ、携帯上不便である。使用後収納にも場所を取るものである。
【０００５】
このような従来の梯子の欠点を改善せんがため、不断の研鑽の結果、本願の考案者は、この特殊な構造と優点を持つ、繰出し梯子を開発したのである。
【考案の開示】
【考案が解決しようとする課題】
【０００６】
１節の梯柱素子を接続器で締付けて連結し、水平な踏板を取り付けたのを１単位として、多数の単位を継ぎ合わせた使用、携帯、収納共に便利な繰出し、折畳み自在の構造を持つ繰出し梯子の提供が本考案の目的である。
【課題を解決するための手段】
【０００７】
上記の目的を達成せんがため、本考案では複数の梯柱素子と、複数の接続器と、複数の締付器具と、複数の水平な踏板とからなり、梯柱素子は各各管径の異なる中空の梯管であり、これを互いに挿入して、引き出したり、引き込んだりでき、各中空梯管の上段部には、接続器を水平に取り付け、その内部に締付器具を包覆し、その外部を水平な踏板で覆蓋した、改善された構造の繰出し梯子を提供する。
【０００８】
また、梯柱素子と接続器とは、テノンとほぞ穴の嵌合方式で結合され、更に液状バインダーで両者をしっかり、粘着固定した。
また、梯柱素子の下部にはバッファーを設けて、使用の際、緩衝作用があるようにした。
【０００９】
なお、本考案に係る、改善された繰出し梯子のその他の特徴、優点や応用に関しては、明細書に添付した図面を参考にして、以下説明する実施例を詳読していただきたい。
【考案を実施するための最良の形態】
【００１０】
図２、３に本考案に係る、改善された構造の繰出し梯子の折畳んた状態と、繰出した状態をそれぞれ示した。かかる繰出し梯子１は、複数の梯柱素子２と、接続器３と、水平な踏板５とからなる。繰出せば高々と伸びた梯子となり、収納の際、上から順に、管径の小さい梯管が、その下層の管径の大きい梯管内に挿入して折畳み状態となる。
【００１１】
図４と図５を参照しよう。複数の梯柱素子２は、順を追って上段の管径の小さい同形状の内層梯柱素子２ａを、その下段の外層梯柱素子２に挿し込むのである。梯柱素子２は中空の管体であり、その上端にはほぞ穴２１と位置決め孔２２が開設され、その下段部には通孔２３と止め穴２４が開設されている。通孔２３上の適当な高さの位置に、１つの箍圏２５が形成されている。
【００１２】
接続器３は環状締具３１と、連結アーム３２とを含み、環状締具３１は水平に梯柱素子２の上端に套設され、ねじ３３で径方向に梯柱素子２と螺設される。その内部には数個の位置決め用のテノン３４が形成されていて、梯柱素子２に開設されいるほぞ穴２１と結合し、組立に便利である。また、接続器３の内壁には粘液流道３５が凹設されていて、流道３５の１端には注入孔３６が開設され、液状バインダーを注入して、接続器３と梯柱素子２を堅固に粘着するのである。なお、接続器３に開設された貫通孔３０は、連結アーム３２内部に開通された通路３７と相通ずる。
【００１３】
連結アーム３２は環状締具３１と一体に射出成形され、その通路３７は前後貫通し、通路３７の末端には、締付器具４を容設する挿入槽３８が設けられている。
【００１４】
図に示すように締付器具４は錠門４１、心棒４２、ばね４３及び触動鍵４４から構成されている。錠門４１の両側には翼板４１１、４１２があり、その中央にスリーブ４１３が套設されている。翼板４１１、４１２が連結アーム３２の挿入槽３８に挿入すれば、スリーブ４１３ばちょうど連結アーム３２の通路３７上に位置し、スリーブ４１３の中にはねは４３と、心棒４２とが容設され、心棒４２の１端はばね４３に抵接し、他端は環状締具３１の貫通孔３０と、梯柱素子２の位置決め孔２２に対応する。心棒４２の中段部は直径の小さい軸心部４２１を形成し、触動鍵４４をここに引掛けて触動するのである。触動鍵４４はその下端の両側にある歯止め４４１を連結アーム３２の容槽内に収容して定置し、他端の双股状の操作鍵４４２は軸心部４２１を夾持して、心棒４２の前後移動を制御する。 
【００１５】
締付器具は連結アーム３２の内部に入れて組立てた後、踏板５を水平に連結アーム３２の上に挿置する。踏板５の下端には通孔５１が開設されていて、触動鍵４４をこの通孔５１から下に露出して操作するのである。
【００１６】
なお、梯柱素子２の下部には、やや円筒状のバッファー６が設けられていて、その上端外側の止め爪６１で梯柱素子２の止め穴２４と結合し、その下端は止め座金６２に囲まれ、梯柱素子２との接触摩擦を適当に保ち、操作中の騒音を防ぐのである。そして図６に示すように、バッファー６の中には膠模６３が取り付けられていて、その表面に開設された孔を通り、バッファー６が上下に動くとき、空気をその中に形成された空間に進出させて、緩衝効果を高めるのである。
【００１７】
組立てが完成したら図に示すように、梯柱素子２の底部にあるバッファー６と止め座金６２の共同作用により、内外梯柱素子の昇降による管壁間の接触摩擦が適当に緩和される。梯柱素子２の上端に接続している接続器３は粘液流道３５からバインダーの供給を受けているので、両者間は堅固に結合され、組立て後の梯子は極めて安全に使用である。締付器具４はその全体が完全に接続器３と、踏板５に包まれているので、外物の侵入による破損の心配がなく、取扱いも便利である。 
【００１８】
もう一度図６に戻ろう。内層の梯柱素子２ａを引き出して梯子を繰り出す場合、梯柱素子２ａはその周囲に形成された外径のやや大まい、箍圏２ａ１を外層素子２の接続器３の内フランジ３１１に抵接させれば、内層の梯柱素子２ａの下端に開設された通孔２ａ２は、ちょうど外層梯柱素子２の位置決め孔２２、その接続器３貫通孔３０及び心棒４２結ぶ通路上に位置し、心棒４２挿入して安置できるのである。
【００１９】
以下説明の便宜上、異なる符号で部品を表示しよう。折畳みする場合図７に示すよう、第１層の触動鍵７１を時計方向に回転し、心棒７２を第２層の梯柱素子７３の通孔から抜き取れば、梯柱素子７３は支持を失い、第２層の踏板７４諸共落下する。第２層の踏板７４が落下してその下端にある触動鍵７５が第１層の踏板７６に抵触したとき、触動鍵７５は作動されて時計方向に回転し、その心棒７７は通孔から抜き取られ、そのため第３層の梯柱素子７８と第３層の踏板７９は共に落下する。このように全部の梯柱素子と踏板は速やかに折畳まれるのである。
【００２０】
本考案に係る改善された構造の繰出し梯子は接続器３と、梯柱素子２との間にほぞ孔２１を設けているので、迅速に組立てられる。位置決め用のテノン３４、箍圏２５、及粘液流道３５の設置は、梯子全体の構造を堅固に保ち、締付器具４と、接続器３との巧みな組合せは。全体の構造の組立と取を便利にし、梯子の使用寿命も長くなるものである。
【００２１】
本考案は、本考案の技術的思想から逸脱することなく、他の種々の形態で実施することができる。上述の実施例はあくまでも、本考案の技術内容を明らかにするだけのものであって、そのような具体例のみに限定して、本考案を狭義に解釈するべきではなく、本考案の精神と実用新案登録請求の範囲内で色々と変更して実施できるものである。
【図面の簡単な説明】
【００２２】
【図１】従来の折畳み式梯子の立体図である。
【図２】本考案に係る繰出し梯子の折畳んだ状態を示す立体図である。
【図３】本考案に係る繰出し梯子の展開しだ状態を示す立体図である。
【図４】本考案に係る繰出し梯子の梯柱素子と水平な踏板の分解図である。
【図５】本考案に係る繰出し梯子の踏板を梯柱素子に取り付けた立体図である。
【図６】本考案に係る繰出し梯子の踏板を梯柱素子に取り付けた断面図である。
【図７】本考案に係る繰出し梯子の組み立て操作を示す説明図である。
【符号の説明】
【００２３】
１：繰出し梯子
２：梯柱素子
２ａ：内層の梯柱素子
３：接続器
４：締付器具
５：水平な踏板
２１：ほぞ穴
２２：位置決め孔
２３：通孔
２４：止め穴
２５：箍圏
２ａ１：箍圏
２ａ２：通孔
３０：貫通孔
３１：環状締具
３２：連結アーム
３３：ねじ
３４：テノン 
３５：粘液流道
３６：膠液の注入孔
３７：通路
３８：挿入槽
３１１：内フランジ
４１：錠門
４２：心棒
４３：ばね
４４：触動鍵
４１１、４１２：挿入板
４１３：スリーブ
４２１：軸心部
４４１：歯止め
４４２：操作鍵
５１：通孔
６：バッファー
６１：止め爪
６２：止め座金
６３：膠模
７１：第１層の触動鍵
７２：心棒
７３：第２層の梯柱素子
７４：第２層の踏板
７５：触動鍵
７６：第１層の踏板
７７：心棒
７８：第３層の梯柱素子
７９：第３層の踏板
８００：梯柱
【図１】
0003141332.tif 000003
【図２】
0003141332.tif 000004
【図３】
0003141332.tif 000005
【図４】
0003141332.tif 000006
【図５】
0003141332.tif 000007
【図６】
0003141332.tif 000008
【図７】
0003141332.tif 000009